(57)【要約】      （修正有）【課題】簡易に着脱でき、保護効果の高い弦楽器ラッカー塗装・分離式保護カバーを提供する。【解決手段】最内面はラッカー塗装を保護するフランネル素材であり、中心部にはクッション性のある素材、表目は軟らかい素材を用いる。ヘッドからネックまでの上部と、ボディ部に分離され、両者を重ねあわせて一体型として使用する。ネック部分にベルトが設けられ、ヘッド部分の内側にポケットを有している。【選択図】図１
0003176550.tif 000002
【実用新案登録請求の範囲】
【請求項１】
ヴィンテージギターをはじめとするラッカー塗装などで仕上げられている弦楽器のソフトケースなどを使用した移動や保管時及びギタースタンドに立てかけておく際の弦楽器の保護を目的とし、特にラッカー塗装保護のため最内面にフランネル素材を使用することを特徴とした簡易的に着脱可能な弦楽器用フルカバー。
【考案の詳細な説明】
【技術分野】
【０００１】  この考案は、特にヴィンテージギターをはじめとするラッカー塗装などの弱い塗装材で仕上げられた弦楽器を、ソフトケース使用時やギタースタンドに立てかけておく際のラッカー塗装の剥離や化学変化による劣化、衝撃による傷及びホコリなどからの保護を目的とした弦楽器用フルカバーである。
【背景技術】
【０００２】  ヴィンテージギターとは１９８０年代中頃からその存在が世界的に注目され、それらは５０年代から７０年代にかけて製造された貴重な文化遺産である。その特徴の一つとして経年変化による独特な風味と味が出たラッカー仕上げの塗装があげられているが、経年変化によりラッカー塗装は既に弱っており、簡単に剥離したり溶けやすくなっている。
従来、ヴィンテージギターなどは保管や移動の際には塗装や衝撃を保護することのできる専用のハードケースを使用するのが主流である。しかしハードケースは大きく重量も重いため移動するのに困難となり、実際の移動時には軽量なソフトケースを使用することが多いが、安価や簡素なソフトケースの場合は内側のクッション性が貧弱で、素材によっては化学反応を起こす危険もあるなど、塗装などの保護機能が欠如しているためラッカー塗装や外からの衝撃による傷を保護しきれない。ギタースタンドに立てかけて置く場合も、ギターとの接着部分となるクッションがゴムなどの素材になっているためラッカー塗装の化学変化による塗装の劣化や外からの衝撃により既に弱っているラッカー塗装は簡単に剥離してしまっていた。
【考案の開示】
【考案が解決しようとする課題】
【０００３】  そのために次のような問題点があった。
既存のソフトケースの内側素材はラッカー塗装などを保護する素材を使用していないため、ラッカー塗装などの化学変化による劣化や剥離及び外からの衝撃による傷によりラッカー塗装などが簡単に剥離や破損をしてしまっていた。ソフトケースの素材の欠点を補うために使用するフルカバーで塗装を保護するアイテムがなかった。【０００４】  ギタースタンドに立てかけて置く場合はスタンドに装着されているクッショシとギターとの接触部分による塗装面の化学変化による劣化や剥離及び外からの衝撃により接触部分が簡単に破損してしまっていた。
【課題を解決するための手段】
【０００５】  最内面にラッカー塗装などを保護する唯一の素材（フランネル）を使用した３部構造２分離式のフルカバーを被せてからソフトケースやギタースタンドを使用する。
【考案の効果】
【０００６】  フルカバーを使用することで、ラッカー塗装などの化学変化による劣化や剥離、衝撃による傷及びホコリから保護することが可能である。
【考案を実施するための最良の形態】
【０００７】  ヘッドからネック根本までを被う上部とボディを被う２分離式とし横ファスナーを使用することで簡易的に着脱可能とする。２分離式にすることでギタースタンド使用時のネック部分のみの接触の保護に使用することも可能になる。構造は３部構造とし最内面にはラッカー塗装などを保護する素材（フランネル）、中心部にはクッション性のあるキルティング素材など、表目は柔らかな素材を使用することでラッカー塗装などの化学変化による劣化や剥離、外からの衝撃による傷及びホコリから保護をする。ファスナー部分にうち当てを取り付けることでファスナーによる糸巻きやネックやボディの傷付けを防止する。さらにネック部分に固定可能な（マジックテープ付きなど）ベルトを使用することでカバー内部でのギターの動きを固定し保護効果をアップする。
ラッカー塗装などを良い状態に保つため、季節による湿度の変化などに対処する除湿剤やお手入れ様のクロスなど保存状態に応じて必要なものが入るポケットをヘッド部カバーの内側に装着する。分離したヘッド部とボディー部は一部を重ね合わせることで、ボディを傷つける金具などを使用せずに一体型として使用することが可能である。
【図面の簡単な説明】
【０００８】
【図１】  本考案の平面正面図（弦楽器装着時）
【図２】  本校案の斜視図（分離時）  （ａ）ヘッド・ネック部カバー（ｂ）ボディ部カバー
【図３】  本校案の断面図（三層構造）
【図４】  本校案のヘッド・ネット部の内側を示す説明図  （ａ）側面から内側を見た図（ｂ）内側部分の断面図
【符号の説明】
【０００９】１    ヘッド・ネック部カバー
２    ボディ部カバー
３    ヘッド・ネック部カバーとボディ部カバーの重なり部分
４    ベルト
５    チャック
６    うち当て布
７    表目布（柔らかな素材の布）
８    中心部布（キルティングなど）
９    最内面布（フランネル）
１０  ポケット
【図１】
0003176550.tif 000003
【図２】
0003176550.tif 000004
【図３】
0003176550.tif 000005
【手続補正書】
【提出日】平成24年4月7日(2012.4.7)
【手続補正１】
【補正対象書類名】実用新案登録請求の範囲
【補正対象項目名】全文
【補正方法】変更
【補正の内容】
【実用新案登録請求の範囲】
【請求項１】
１．簡易的に着脱可能とするためにヘッドからネック根本までを被う上部とボディを被う２分離式
２．構造は最内面にはラッカー塗装などを保護する素材（フランネル）、中心部にはクッション性のある素材、表目は柔らかな素材を使用し３部構造
３．ネック部分に固定可能なベルトを使用
４．ヘッド部カバーの内側にポケットを装着
５．分離したヘッド部の下部（ネック部分）とボディー部の上部を重ねあわせることで一体型として使用できる
以上を特徴とする弦楽器ラッカー塗装・分離式保護カバー。
【手続補正３】
【補正対象書類名】明細書
【補正対象項目名】０００７
【補正方法】変更
【補正の内容】
【０００７】  ヘッドからネック根本までを被う上部とボディを被う２分離式とし横ファスナーを使用することで簡易的に着脱可能とする。２分離式にすることでギタースタンド使用時のネック部分のみの接触の保護に使用することも可能になる。構造は３部構造とし最内面にはラッカー塗装などを保護する素材（フランネル）、中心部にはクッション性のあるキルティング素材など、表目は柔らかな素材を使用することでラッカー塗装などの化学変化による劣化や剥離、外からの衝撃による傷及びホコリから保護をする。ファスナー部分にうち当てを取り付けることでファスナーによる糸巻きやネックやボディの傷付けを防止する。さらにネック部分に固定可能な（マジックテープ（登録商標）付きなど）ベルトを使用することでカバー内部でのギターの動きを固定し保護効果をアップする。
ラッカー塗装などを良い状態に保つため、季節による湿度の変化などに対処する除湿剤やお手入れ様のクロスなど保存状態に応じて必要なものが入るポケットをヘッド部カバーの内側に装着する。分離したヘッド部とボディー部は一部を重ね合わせることで、ボディを傷つける金具などを使用せずに一体型として使用することが可能である。
【手続補正４】
【補正対象書類名】図面
【補正対象項目名】全図
【補正方法】変更
【補正の内容】
【図１】
0003176550.tif 000006
【図２】
0003176550.tif 000007
【図３】
0003176550.tif 000008
【図４】
0003176550.tif 000009